(57)【要約】  【課題】  既存のインフラを利用しながら、少ないシステムの構成部品をもって、低コストで効率的にデマンドコントロール、漏電等監視、または、通報等を可能とする電力線搬送制御システムを提供する。  【解決手段】  負荷に電力を供給する需要家電気設備の電力線を介して信号を伝送する電力線搬送制御システム１０００であって、負荷５００の稼働を制御するオン／オフ情報信号を出力する接点情報出力装置１００と、オン／オフ情報信号を制御電文に変調して電力線３００に出力するセンタモデム２００と、制御電文をオン／オフ情報信号に復調して出力するターミナルモデム４００と、オン／オフ情報信号が出力される負荷５００と、を備え、接点情報出力装置１００が出力するオン／オフ情報信号により遠隔地の負荷５００を制御する電力線搬送制御システム１０００とした。【選択図】  図１
2005312112.tif 000002
【特許請求の範囲】
【請求項１】
商用電源の引込み電力線から電源供給され、負荷に電力を供給する需要家電気設備の電力線を介して信号を伝送する電力線搬送制御システムであって、
負荷の稼働を制御するオン／オフ情報信号を出力する接点情報出力装置と、
電力線から電源供給され、また、接点情報出力装置からのオン／オフ情報信号を制御電文に変調して電力線に出力するセンタモデムと、
電力線から電源供給され、また、電力線を介して入力される制御電文をオン／オフ情報信号に復調して出力するターミナルモデムと、
ターミナルモデムから電源供給され、また、ターミナルモデムから出力されたオン／オフ情報信号が出力される負荷と、
を備え、
接点情報出力装置が出力するオン／オフ情報信号により負荷を制御することを特徴とする電力線搬送制御システム。
【請求項２】
請求項１に記載の電力線搬送制御システムにおいて、
前記接点情報出力装置は、移動体通信回線を介してネットワークされた移動体端末機と接続され、
移動体端末機からの指令により負荷をオン／オフ制御することを特徴とする電力線搬送制御システム。
【請求項３】
請求項１または請求項２に記載の電力線搬送制御システムにおいて、
前記接点情報出力装置は、引込み電力線に接続される電力量計から入力した検針値を、検針値に比例するパルス数のパルス信号に変換して出力するパルス検出器と、パルス検出器からパルス信号を入力するデマンドコントローラであり、また、負荷は入り切りを行うためのリレーであって、
デマンドコントローラは、パルス検出器からのパルス信号に基づいて所定時間毎に予測デマンド値の算出を行う算出手段と、
算出した予測デマンド値と、予め設定されたデマンド値と、を比較する比較手段と、
比較した結果に基づきリレーのオン／オフ情報信号を送信する送信手段と、
を備え、予め設定されたデマンド値に予測デマンド値が追従するように制御することを特徴とする電力線搬送制御システム。
【請求項４】
請求項３に記載の電力線搬送制御システムにおいて、
前記デマンドコントローラの算出手段は、パルス検出器から入力した１分毎のパルス信号をカウントし、３０分予測デマンド値の算出を行う手段であることを特徴とする電力線搬送制御システム。
【請求項５】
請求項１または請求項２に記載の電力線搬送制御システムにおいて、
前記接点情報出力装置は、電力線に分岐接続される変圧器の二次側に接続されて電力供給される漏電遮断器であり、
センタモデム及びターミナルモデムは、電力線に接続される変圧器の二次側から伸延した分岐電力線から電源供給され、
漏電遮断器と接続されたセンタモデムを商用電源を引き込む電気室に配置し、また、ターミナルモデムを遠隔コントロールルームに配置することを特徴とする電力線搬送制御システム。
【発明の詳細な説明】
【技術分野】
【０００１】
本発明は、需要家電気設備における工業用動力機器、家庭用電化製品、事務用ＯＡ機器その他の電気機器である負荷のオン／オフ制御を行う電力線搬送制御システムに関する。
【背景技術】
【０００２】
電力線搬送制御システムの従来技術として、商用電源の引込み電力線と、引込み電力線から分岐電力線を介して負荷に電力を供給する需要家電気設備において、操作盤等から負荷を制御するシステムが知られている。
また、電力線搬送制御システムの他の従来技術として、商用電源を引き込む配電盤と、配電盤配下の負荷が接続されている電力線を介して、配電盤と負荷との間にそれぞれ接続されたモデムを使用して負荷を制御する電力線搬送制御システムも知られている。
【０００３】
また、特許文献１（発明の名称：電力線搬送制御システムおよび制御機器）には、負荷全体及び負荷個別の消費電力等の測定、チェック、電源オン／オフ制御及び細かい電力制御等の集中制御、管理を行い、漏電等の監視や通報等を可能とする電力線搬送制御システムが、開示されている。
【０００４】
【特許文献１】特開２００２−２３３０８２号公報（段落番号０００８，図２）
【発明の開示】
【発明が解決しようとする課題】
【０００５】
しかしながら、特許文献１に開示された電力線搬送制御システムは、既存のインフラを有効活用してシステムを構築出来るものの、商用電源を引き込む配電盤に電力計を設ける他に、負荷にそれぞれ個別の電力量計を付設し、需要家の負荷全体及び負荷個別の消費電力を測定し、モデムにより計測情報、制御情報を交換する等、システムの構成部品、特に、電力量計及びそれに付随する電気機器を多数必要としていた。
【０００６】
そこで、本発明は、上記課題を解決するためになされたものであり、その目的は、既存のインフラを利用しながら、少ないシステムの構成部品をもって、低コストで効率的にデマンドコントロール、漏電等監視、または、通報等を可能とする電力線搬送制御システムを提供することにある。
【課題を解決するための手段】
【０００７】
本発明の請求項１に係る電力線搬送制御システムは、
商用電源の引込み電力線から電源供給され、負荷に電力を供給する需要家電気設備の電力線を介して信号を伝送する電力線搬送制御システムであって、
負荷の稼働を制御するオン／オフ情報信号を出力する接点情報出力装置と、
電力線から電源供給され、また、接点情報出力装置からのオン／オフ情報信号を制御電文に変調して電力線に出力するセンタモデムと、
電力線から電源供給され、また、電力線を介して入力される制御電文をオン／オフ情報信号に復調して出力するターミナルモデムと、
ターミナルモデムから電源供給され、また、ターミナルモデムから出力されたオン／オフ情報信号が出力される負荷と、
を備え、
接点情報出力装置が出力するオン／オフ情報信号により負荷を制御することを特徴とする。
【０００８】
また、本発明の請求項２に係る電力線搬送制御システムは、
請求項１に記載の電力線搬送制御システムにおいて、
前記接点情報出力装置は、移動体通信回線を介してネットワークされた移動体端末機と接続され、
移動体端末機からの指令により負荷をオン／オフ制御することを特徴とする。
【０００９】
また、本発明の請求項３に係る電力線搬送制御システムは、
請求項１または請求項２に記載の電力線搬送制御システムにおいて、
前記接点情報出力装置は、引込み電力線に接続される電力量計から入力した検針値を、検針値に比例するパルス数のパルス信号に変換して出力するパルス検出器と、パルス検出器からパルス信号を入力するデマンドコントローラであり、また、負荷は入り切りを行うためのリレーであって、
デマンドコントローラは、パルス検出器からのパルス信号に基づいて所定時間毎に予測デマンド値の算出を行う算出手段と、
算出した予測デマンド値と、予め設定されたデマンド値と、を比較する比較手段と、
比較した結果に基づきリレーのオン／オフ情報信号を送信する送信手段と、
を備え、予め設定されたデマンド値に予測デマンド値が追従するように制御することを特徴とする。
【００１０】
また、本発明の請求項４に係る電力線搬送制御システムは、
請求項３に記載の電力線搬送制御システムにおいて、
前記デマンドコントローラの算出手段は、パルス検出器から入力した１分毎のパルス信号をカウントし、３０分予測デマンド値の算出を行う手段であることを特徴とする。
【００１１】
また、本発明の請求項５に係る電力線搬送制御システムは、
請求項１または請求項２に記載の電力線搬送制御システムにおいて、
前記接点情報出力装置は、電力線に分岐接続される変圧器の二次側に接続されて電力供給される漏電遮断器であり、
センタモデム及びターミナルモデムは、電力線に接続される変圧器の二次側から伸延した分岐電力線から電源供給され、
漏電遮断器と接続されたセンタモデムを商用電源を引き込む電気室に配置し、また、ターミナルモデムを遠隔コントロールルームに配置することを特徴とする。
【発明の効果】
【００１２】
これらのような本発明によれば、既存のインフラを利用しながら、少ないシステムの構成部品をもって、低コストで効率的にデマンドコントロール、漏電等監視、または、通報等を可能とする電力線搬送制御システムを提供することができる。
【発明を実施するための最良の形態】
【００１３】
本発明を実施するための最良の形態について図に基づき説明する。図１は本形態の電力線搬送制御システムの構成図、図２はセンタモデムの構成図、図３はターミナルモデムの構成図である。
電力線搬送制御システム１０００は、図１で示すように、接点情報出力装置１００と、センタモデム２００と、電力線３００と、複数のターミナルモデム４００と、複数の負荷５００と、を備えている。
【００１４】
接点情報出力装置１００は、後述するが、例えばデマンドコントローラまたは漏電遮断器などのように各種の接点情報を出力する装置であり、負荷５００をオン／オフさせるオン／オフ情報信号を出力する。また、移動体端末機（ＰＤＡ・携帯電話機）と通信可能に構成されている。
センタモデム２００は、詳しくは図２で示すように、ソケット２０１、装置電源２０２、搬送手段２０３、接点入力部２０４、電源同期手段２０５、接点出力部２０６、表示手段２０７、表示ＬＥＤ２０８、リセット手段２０９、リセットスイッチ２１０を備えている。各部の機能等の詳細は後述する。
電力線３００は、例えば、施設内に設けられた既存の需要家電気設備の配線であり、図１でも示すように、各所にコンセント３０１が多数設けられている。
ターミナルモデム４００は、図３で示すように、ソケット４０１、装置電源４０２、搬送手段４０３、接点出力部４０４、電源同期手段４０５、設定手段４０６、設定スイッチ４０７、表示手段４０８、表示ＬＥＤ４０９、リセット手段４１０、リセットスイッチ４１１を備えている。各部の機能等の詳細は後述する。
負荷５００は、接点情報を入力して各種利用する装置であり、例えば各種機器が備える接点を開閉するリレーなどであるである。
【００１５】
続いて、電力線搬送制御システム１０００の配線について説明する。接点情報出力装置１００はセンタモデム２００と接続される。図２で示すセンタモデム２００の接点入力部２０４と接点出力部２０６とが、接点情報出力装置１００の図示しない接点出力部・接点入力部とそれぞれ接続される。
そして、図１で示すように、センタモデム２００のソケット２０１を、電力線３００のコンセント３０１に差し込むと電力線３００から電力供給がなされ、また、電力線３００を通信線として利用できるようになる。
【００１６】
同様に、ターミナルモデム４００は負荷５００と接続されている。図３で示すターミナルモデム４００の接点出力部４０４と、負荷５００の図示しない接点入力部とで接続される。
そして、図１で示すよう、ターミナルモデム４００のソケット４０１を、電力線３００のコンセント３０１に差し込むと電力線３００から電力供給がなされ、また、電力線３００を通信線として利用できるようになる。
これにより電力線搬送制御システム１０００の配線が完了して通信可能となる。
【００１７】
次に、電力線搬送制御システム１０００の動作について説明する。
図２で示すセンタモデム２００の電源同期手段２０５は、接点出力部２０６および接点情報出力装置１００の図示しない接点入力部を介して接点情報出力装置１００へ電力信号を送信して電源供給している。この電力信号は同期信号としても利用される。
接点情報出力装置１００は負荷の稼働を制御するオン／オフ情報信号を生成し、接点情報出力装置１００の図示しない接点出力部・接点入力部２０４を介して搬送手段２０３へ出力する。電源同期手段２０５は、電力線３００の商用周波数に同期したパルスを生成しており、搬送手段２０３はこのパルスを利用して、接点情報出力装置からのオン／オフ情報信号およびターミナルモデム４００を特定するアドレス情報をパルスの有無によるデジタル信号で表した制御電文に変調し、この制御電文を電力線３００に出力する（単方向通信）。なお、表示ＬＥＤ（外部表示）２０８により、センタモデム２００の設置箇所で点灯／消灯によりオン／オフ情報信号の状態を確認出来るようになされている。
【００１８】
ターミナルモデム４００は、電力線３００・ソケット４０１を経て搬送手段４０３が制御電文を入力し、この制御電文をオン／オフ情報信号に復調する。この場合、電源同期手段４０５からパルス信号を入力し、このパルス信号のタイミングで読み出して復調する。このオン／オフ情報信号に含まれるターミナルモデム４００を特定するアドレス情報が一致しないターミナルモデム４００はオン／オフ情報信号を破棄し、アドレス情報が一致するターミナルモデム４００はオン／オフ情報信号を得る。
【００１９】
オン／オフ情報信号を得たターミナルモデム４００は、接点出力部４０４を経て負荷５００へ出力する。なお、ターミナルモデム４００は負荷５００へ電源供給のため電力信号を送信しており、電力信号に重畳してこのオン／オフ情報信号を負荷５００に出力する。  表示ＬＥＤ（外部表示）４０９により、ターミナルモデム４００の設置箇所で点灯／消灯によりオン／オフ情報信号の状態を確認出来る。
【００２０】
負荷５００は、ターミナルモデム４００から電源供給され、また、ターミナルモデム４００から出力されたオン／オフ情報信号に基づいて各種制御が行われる。例えば負荷５００がリレーならばリレーを入り切りして接点の投入・解放が行われる。
電力線搬送制御システム１０００はこのように行われる。
【００２１】
続いて電力線搬送制御システム１０００の具体例であるデマンド制御システム１００１について図を参照しつつ説明する。図４は電力線搬送制御システムを使用したデマンド制御システムの構成図、図５はデマンドコントローラのシステム構成図である。
図４で示すように、接点情報出力装置１００をデマンドコントローラ１００’とし、また、負荷５００をリレー５００’とする。また、センタモデム２００の接点入力数を３２とし、接点出力数を１としている。また、ターミナルモデム４００の接点出力数を２としている。図示しないが、このようなターミナルモデム４００を最大１６台備える。
【００２２】
このようなセンタモデム２００及びターミナルモデム４００の基本仕様を表１に示す。
【００２３】
【表１】
2005312112.tif 000003
【００２４】
図３で示すターミナルモデム４００の設定手段４０６は、ターミナルモデム４００の接点制御方式を設定する。設定する制御方法は２点同時にオン／オフ制御する「同時制御」と２点のオン／オフを切り替える「切替制御」の２種類としている。
表２に搬送仕様を示し、表３に制御方法設定機能を示す。
【００２５】
【表２】
2005312112.tif 000004
【００２６】
【表３】
2005312112.tif 000005
【００２７】
続いて、図５により、デマンド制御システム１００１の主要構成部品であるデマンドコントローラ１００’を説明する。制御装置としてのデマンドコントローラ１００’は、使用電力をデマンド監視し、予め設定した電力量（予め設定されたデマンドレベル）をオーバーしないようにリレーを制御して負荷を動作させる。例えば、空調等電気機器の負荷を効率的に運転するためのスケジュール制御を可能としている。
【００２８】
デマンドコントローラ１００’は、プログラマブルコントローラ（ＰＬＣ）１０１とプログラマブル操作表示器（ＰＯＤ）１０２で構成される。ＰＬＣ１０１は主に演算処理およびデマンド制御指令を行い、ＰＯＤ１０２は主に各種設定操作および状態表示を行う。ＰＬＣ１０１は、ベースボード１０１ａに組み付けられて電源モジュール１０１ｂ、ＣＰＵモジュール１０１ｃ、デジタル入力モジュール１０１ｄ、デジタル出力モジュール１０１ｅを備えるものである。
電源モジュール１０１ｂは各部に電力を供給する。
ＣＰＵモジュール１０１ｃはＰＯＤ１０２と接続され、ＰＯＤ１０２に出力データを表示させたり、また、ＰＯＤ１０２から入力された入力データを処理する。
デジタル入力モジュール１０１ｄは入力用のインターフェースであり、パルス検出器１０３やセンタモデム２００と接続されている。
デジタル出力モジュール１０１ｅは出力用のインターフェースであり、センタモデム２００と接続されている。表４にデマンドコントローラの機能を示す。
【００２９】
【表４】
2005312112.tif 000006
【００３０】
デマンドコントローラ１００’では、上記のようにグループ設定を行うことができ、制御単位となるグループがグループＡからグループＬまでの計１２グループで、最大２５系統のターミナルモデムは何れかのグループに属する。ターミナルモデムのグループ重複も可能で、各グループに属する負荷重要度の軽重によって、所属するターミナルモデム、自動モードまたは手動モード、デマンド制御優先順位、運転スケジュール等動作パラメータ項目から各グループの負荷遮断制御の優先順位が任意に設定出来る。
【００３１】
例えば、図６のグループ設定例を示す図で表されるように、制御単位となるグループをグループＡからグループＤまでの計４グループと設定し、１９系統〜２５系統のグループＤを優先順位１とし、１，２，３，４，９系統のグループＡを優先順位２とし、５系統〜９系統のグループＢを優先順位３とし、１系統〜２１系統のグループＣを優先順位４とするような設定である。
【００３２】
続いて、デマンド制御システム１００１の具体的動作について説明する。
デマンドコントローラ１００’のデジタル入力モジュール１０１ｄにはパルス検出器１０３とセンタモデム２００の接点出力部２０６とがコードを介して接続され、デジタル出力モジュール１０１ｅにはセンタモデム２００の接点入力部２０４とがコードを介して接続されている。
デマンドコントローラ１００’では、自動的な制御として、ＷＨＭ（取引用電力量計）１０４に取り付けられたパルス検出器１０３からのパルス信号をカウントして、１パルスあたりの使用電力量を乗算して３０秒毎の使用電力量を算出して３０分間の累積使用電力量（デマンド値）が契約内容をオーバーしないように監視を行い、３０分間のデマンド予測値がオーバーした場合はリレー５００’を解放・投入するなどして負荷遮断制御により電力量を調節するというものである。そのため、パルス検出器１０３からのパルス信号に基づいて所定時間毎に予測デマンド値の算出を行い（算出手段）、算出した予測デマンド値と予め設定されたデマンド値とを比較し（比較手段）、比較した結果に基づきリレーのオン／オフ情報信号を送信する（送信手段）ようにして、予め設定されたデマンド値を予測デマンド値が超えないように制御している。予測デマンド値と設定デマンド値（ｋＷ）と比較して予測デマンド値が大きいならば、例えばオン／オフ情報信号でリレーを切って接点を解放するような制御を行って空調機などの稼働を停止させて、デマンド値を下げるようにする。逆に予測デマンド値が小さいならば、今まで稼働していなかった空調機を稼働させるため、例えばオン／オフ情報信号でリレーを入れて接点を投入するような制御を行って空調機などを稼働させて、空調を行わせるというものである。
【００３３】
上記した予測デマンド値の算出を図を参照しつつ以下に説明する。図７はデマンドグラフを示す図である。デマンド時間（分）をＴ＝３０、経過時間（分）をｔ（０≦ｔ≦Ｔ）、サンプリング時間（秒）をΔｔ＝３０、現在デマンド値（ｋＷ）をＰとすると予測デマンド値は次式のようになる。
【００３４】
【数１】
2005312112.tif 000007
【００３５】
デマンド判定は設定周期（初期値２分）に１回ずつ行う。３０秒間（Δｔ）の使用電力量（Δｐ）の傾きより算出された３０分間（Ｔ）の予測デマンド値（ＰＦ）が制御レベル設定値を超えた場合、先に設定したグループ優先順位に従って負荷遮断制御を実行する。負荷遮断制御を実行後、予測デマンド値が再度制御レベルに達した場合、次の優先順位に該当するグループの負荷遮断制御を追加実行する。このようにすれば、負荷遮断に伴う被害を各系統で分け合うため、不満が発生するおそれが少なくなる。また、消費電力の多い順にグループ優先順位を設定すれば、少ない箇所の負荷遮断制御でデマンド値を抑えることができる。
【００３６】
続いて、デマンド制御システム１００２の他の例について図を参照しつつ説明する。図８は他のデマンド制御システムの構成図である。デマンドコントローラ１００’は、センタモデム２００への１出力を３２ビット信号としており、図８で示すように、通常は１相、つまりセンタモデム２００を一台のみ接続する構成としているが、センタモデム２００を最大３台まで拡張して接続する３相構成とすることが出来る。このような構成としても良い。
【００３７】
続いて、デマンド制御システム１００３の設置例について図を参照しつつ説明する。図９はデマンド制御システムの設置例の説明図である。変圧器６００が設置されたキュービクルの中に、取引用計器１０６、パルス検出器１０３、デマンドコントローラ１０５、センタモデム２００が配置されている。さらにデマンドコントローラ１０５は、検針端末１０５ａ、ボックスコンピュータ１０５ｂ、電源ユニット１０５ｃを備える。
デマンドコントローラ１０５のボックスコンピュータ１０５ｂは、無線ＬＡＮを介してパーソナルコンピュータ１１１と接続され、また、移動体通信回線を介してＰＤＡ・携帯電話機等の移動体端末機１１０とも接続されている。デマンド制御やマニュアル操作など必要に応じて、これらコンピュータ１１１や移動体端末機１１０をオペレータが操作して、デマンドコントローラ１０５のボックスコンピュータ１０５ｂがセンタモデム２００へオン／オフ情報信号を出力する。
事務室・各部屋（学校などでは教室となる）では、ターミナルモデム４００を内蔵する空調室外機４２０と負荷５００となる空調室内機５０１が設置されている。
【００３８】
このようなデマンド制御システム１００３では、取引用計器１０６・パルス検出器１０３・検針端末１０５ａを経てボックスコンピュータ１０５ｂがパルス信号を入力してデマンド予測を行い、デマンドが設定限界を超えそうなときに、空調室外機４２０にオン／オフ情報信号を出力して、空調の制御（冷房温度の温度上げ設定・暖房温度の温度下げ設定・運転の一時停止など）を行ってデマンド制御を行う。
特に本システムでは外部のコンピュータ１１１や携帯電話などの移動体端末１１０をネットワークしたため、電力線搬送制御システムを利用した使い勝手のよい各種遠隔システムを構築出来る。
【００３９】
本形態によれば、以下に述べるように具体的で顕著な効果を奏する。
（１）既存の配線（電力線等）を利用し、キュービクル内の警報を遠隔のコントロールルームや事務所でも監視する要請に対しても、費用と工期とを大幅にカットして導入を図れる。
（２）電灯線が接続されていれば、キュービクル内からでも通信可能となる。しかもキュービクル等既存の設備に改造を施す必要が無く、業務を止めることなく設置出来る。
（３）接点の入切などの監視や制御がコンセントに挿すだけで可能とし、極めて操作を容易としており、リピータ動作を施せば更に遠くまで通信が可能となり、又、ソフトウェアを変更することで、機能変更、追加等を柔軟に対処出来る。
【００４０】
続いて、デマンド制御システム以外のシステムとして漏電監視システム適用例を図を参照しつつ説明する。図１０は、漏電監視システムの構成図である。
需要家電気設備の電気室において、主幹線に変圧器６００が設置され、また、主幹線から分岐して接続される複数の供給用変圧器６０１の二次側から伸延して分岐電力線が形成され、それぞれの分岐電力線に負荷となる漏電遮断器１２０が接続されて、電源供給されている。漏電遮断器１２０と接続されるセンタモデム２００とが設置され、事務所にはターミナルモデム４００と、無線ＬＡＮで接続されるパーソナルコンピュータ４３０が設けられている。
【００４１】
センタモデム２００に各漏電遮断器１２０のオン／オフ情報信号を送信するようにしている。センタモデム２００は制御電文に変調してターミナルモデム４００へ送信し、ターミナルモデム４００では、オン／オフ情報信号に復調して、表示ＬＥＤ（外部表示）４０９（図３参照）でのオン／オフ表示部により、室内で点灯／消灯を確認出来る機能を設けている。なお、無線ＬＡＮを介してパーソナルコンピュータ４３０へ送信しても良い。こうして、遠隔のコントロールルームや事務室で、漏電等異常な分岐電力線を発見及び通報等行う監視システムとして適用出来る。
【００４２】
以上本発明の電力線搬送制御システム１０００，その応用例であるデマンド制御システム１００１，１００２，１００３、および、漏電監視システム１００４についてそれぞれ説明した。
電力線に接続するモデム間で搬送制御によりオン／オフ信号を伝送する電力線搬送制御システムは、およそ、需要家電気設備において、電力量計測、デマンド制御、漏電監視・通報等各種遠隔システム構築に対し利用可能性を有する。
【図面の簡単な説明】
【００４３】
【図１】本発明を実施するための最良の形態の電力線搬送制御システムの構成図である。
【図２】センタモデムの構成図である。
【図３】ターミナルモデムの構成図である。
【図４】電力線搬送制御システムを使用したデマンド制御システムの構成図である。
【図５】デマンドコントローラのシステム構成図である。
【図６】グループ設定例を示す図である。
【図７】デマンドグラフを示す図である。
【図８】他のデマンド制御システムの構成図である。
【図９】デマンド制御システムの設置例の説明図である。
【図１０】漏電監視システムの構成図である。
【符号の説明】
【００４４】
１０００：電力線搬送制御システム
１００：接点情報出力装置
１１０：移動体端末機（ＰＤＡ・携帯電話機）
２００：センタモデム
２０１：ソケット
２０２：装置電源
２０３：搬送手段
２０４：接点入力部
２０５：電源同期手段
２０６：接点出力部
２０７：表示手段
２０８：表示ＬＥＤ
２０９：リセット手段
２１０：リセットスイッチ
３００：電力線
３０１：コンセント
４００：ターミナルモデム
４０１：ソケット
４０２：装置電源
４０３：搬送手段
４０４：接点出力部
４０５：電源同期手段
４０６：設定手段
４０７：設定スイッチ
４０８：表示手段
４０９：表示ＬＥＤ
４１０：リセット手段
４１１：リセットスイッチ
５００：負荷
１００１：デマンド制御システム
１００’：デマンドコントローラ
１０１：プログラマブルコントローラ（ＰＬＣ）
１０１ａ：ベースボード
１０１ｂ：電源モジュール
１０１ｃ：ＣＰＵモジュール
１０１ｄ：デジタル入力モジュール
１０１ｅ：デジタル出力モジュール
１０２：プログラマブル操作表示器（ＰＯＤ）
１０３：パルス検出器
１０４：電力量計（ＷＨＭ）
５００’：リレー
１００３：デマンド制御システム
１０５：デマンドコントローラ
１０５ａ：検針端末
１０５ｂ：ボックスコンピュータ
１０５ｃ：電源ユニット
１０６：取引用計器
１１０：移動体端末機（ＰＤＡ・携帯電話機））
１１１：パーソナルコンピュータ
４２０：空調室外機（ターミナルモデム内蔵）
５０１：空調室内機（負荷）
６００：変圧器
１００４：漏電監視システム
１２０：漏電遮断器
４３０：パーソナルコンピュータ
６００：変圧器
６０１：供給用変圧器
【図１】
2005312112.tif 000008
【図２】
2005312112.tif 000009
【図３】
2005312112.tif 000010
【図４】
2005312112.tif 000011
【図５】
2005312112.tif 000012
【図６】
2005312112.tif 000013
【図７】
2005312112.tif 000014
【図８】
2005312112.tif 000015
【図９】
2005312112.tif 000016
【図１０】
2005312112.tif 000017